【手続補正書】
【提出日】平成17年9月21日(2005.9.21)
【手続補正１】
【補正対象書類名】明細書
【補正対象項目名】全文
【補正方法】変更
【補正の内容】
【書類名】  明細書
【発明の名称】  斜面安定化工法
【特許請求の範囲】
【請求項１】不動層と移動層との間に軟弱層が介在された自然斜面の地すべりを抑制するための斜面安定化工法であって、
一対の抵抗体を一組として複数組の抵抗体を前記自然斜面の滑動方向と略平行に配設し、前記複数組の抵抗体で取り囲まれた狭領域を第１の滑動ブロックとすると共に、該第１の滑動ブロックによって分断された前記自然斜面上の各領域を第２の滑動ブロックとし、前記第１の滑動ブロックと前記第２の滑動ブロックとの滑動形態を互いに異ならせて前記自然斜面のせん断抵抗を強化することを特徴とする斜面安定化工法。
【請求項２】前記第１の滑動ブロックのせん断抵抗は、前記第２の滑動ブロックのせん断抵抗よりも大きいことを特徴とする請求項１記載の斜面安定化工法。
【発明の詳細な説明】
【０００１】
【発明の属する技術分野】
本発明は斜面安定化工法に関し、より詳しくは自然斜面の安定化に適した斜面安定化工法に関する。
【０００２】
【従来の技術】
従来より、自然斜面の安定化工法としては、鉄筋補強土工（ロックボルト工）等の補強材を一定の離間距離を有して略規則的に自然斜面の地表面（移動層）から地盤（不動層）中に略水平又はやや下向きに挿入し、前記補強材の外周をグラウト処理する工法が知られている。
【０００３】
この従来の斜面安定化工法では、移動層の全滑動力に対し、挿入された補強材のせん断・曲げ、及び周辺地盤との周面摩擦力で抵抗させ、これにより斜面の安定化を図っている。
【０００４】
【発明が解決しようとする課題】
しかしながら、従来の斜面安定化工法は、補強材を規則的に一定の離間距離を有して地盤中に配設されているため、移動層が滑動を起こしたときは移動層全域で同一挙動を呈する。すなわち、従来の斜面安定化工法は、滑動力を前記補強材自身の強度（せん断及び曲げ）によって受け止める構造であるため、補強材の材質が弱いか又は合計本数が少ないと、斜面の安定化を十分に維持できない虞があるという問題点があった。
【０００５】
本発明はこのような問題点に鑑みなされたものであって、より一層効果的に斜面の安定化を図ることができる斜面安定化工法を提供することを目的とする。
【０００６】
【課題を解決するための手段】
通常、自然斜面では、地下水流等の影響で基岩である不動層と崩積土砂である移動層との間にはせん断抵抗（すべり強度）の弱い軟弱層が介在されており、豪雨等で地盤が軟弱化した場合に地すべりを促進してしまう傾向にある。一方、軟弱層上の移動層は、軟弱層に比べると相対的にせん断抵抗は強い。したがって、地すべりを起こし易いこの種の自然斜面では、軟弱層に比べてせん断抵抗の大きな移動層部分の割合が増加するように滑動ブロックを分断し、自然斜面上で滑動形態の異なる複数のブロックを設けることにより、より一層効果的に斜面の安定化を図ることができると考えられる。
【０００７】
本発明はこのような点に着目してなされたものであって、本発明に係る斜面安定化工法は、不動層と移動層との間に軟弱層が介在された自然斜面の地すべりを抑制するための斜面安定化工法であって、一対の抵抗体を一組として複数組の抵抗体を前記自然斜面の滑動方向と略平行に配設し、前記複数組の抵抗体で取り囲まれた狭領域を第１の滑動ブロックとすると共に、該第１の滑動ブロックによって分断された前記自然斜面上の各領域を第２の滑動ブロックとし、前記第１の滑動ブロックと前記第２の滑動ブロックとの滑動形態を互いに異ならせて前記自然斜面のせん断抵抗を強化することを特徴としている。
【０００８】
また、本発明の斜面安定化工法は、前記第１の滑動ブロックのせん断抵抗は、前記第２の滑動ブロックのせん断抵抗よりも大きいことを特徴としている。
【０００９】
上記斜面安定化工法によれば、第１の滑動ブロックのせん断抵抗が、第２の滑動ブロックのせん断抵抗より大きくなるように、第１の滑動ブロックと第２の滑動ブロックとの滑動形態を互いに異ならせているので、第１の滑動ブロックのせん断抵抗が増加して耐滑動性が向上し、さらに第１の滑動ブロックと第２の滑動ブロックとの境界部分の摩擦抵抗によって第２の滑動ブロックの耐滑動性も向上し、これにより斜面全体の安定性も向上する。
【００１０】
【発明の実施の形態】
次に、本発明の実施の形態を図面に基づいて詳説する。
【００１１】
図１は自然斜面の一例を模式的に示した斜視図であって、該自然斜面は、基岩（不動層）１と崩積土砂層（移動層）３との間には地下水流に起因して生じる軟弱層４が介在され、前記崩積土砂層３の上面は地表面２を形成している。そして、図中、Ａ部が崩積土砂層３中の移動土塊５からなる崩壊範囲を示し、自然斜面は矢印Ｂ方向に滑動し易い土質構造を有している。また、斜面崩壊時には軟弱層４が主たるすべり面を形成する。
【００１２】
図２は、本発明の斜面安定化工法の一実施の形態を模式的に示す斜視図であって、本実施の形態では、複数の第１の滑動ブロック７ａ〜７ｃが移動土塊５上に形成され、該第１の滑動ブロック７ａによって移動土塊５は複数の第２の滑動ブロック８ａ〜８ｅに分断されている。
【００１３】
第１の滑動ブロック７ａ〜７ｃは、具体的には、一対の抵抗体６を一組として複数組の抵抗体（本実施の形態では２組）が移動土塊５の滑動方向と略平行に配設され、前記複数組の抵抗体６で取り囲まれてなる。
【００１４】
前記抵抗体６は、図３に示すように、略方形状の頭部プレート９と、基端が該頭部プレート９の略中央部に固着されたＰＣ鋼より線１０とを備え、頭部プレート９は地表面２上に載設されると共に、ＰＣ鋼より線１０は崩積土砂層３及び軟弱層４を貫通し、その先端は基岩１中に挿入され外周部１１がグラウト処理されて固定されている。
【００１５】
そして、移動土塊５が斜面崩落する場合は、連続したすべり面、すなわち軟弱層内すべり面１２と崩積土砂層内すべり面１３でせん断破壊が発生する。
【００１６】
しかるに、第１の滑動ブロック７ａは、抵抗体６を設けなかった場合に比べ、軟弱層４よりも強度の強い崩積土砂層３の比率が増加しているため、せん断抵抗が大きくなり、第１の滑動ブロック７ａは豪雨等が生じても滑動し難くなる。
【００１７】
しかも、第１の滑動ブロック７ａと第２の滑動ブロック８ａ、８ｂとの境界には摩擦抵抗が発生するため、第２の滑動ブロック８ａ、８ｂのせん断抵抗も大きくなり、したがって抵抗体を設けなかった場合（図１）に比べ、移動土塊５全体の平均せん断抵抗が大きくなり、その結果斜面の滑動性が低下し、斜面は安定化する。
【００１８】
【発明の効果】
以上詳述したように本発明に係る斜面安定化工法は、不動層と移動層との間に軟弱層が介在された自然斜面の地すべりを抑制するための斜面安定化工法であって、一対の抵抗体を一組として複数組の抵抗体を前記自然斜面の滑動方向と略平行に配設し、前記複数組の抵抗体で取り囲まれた狭領域を第１の滑動ブロックとすると共に、該第１の滑動ブロックによって分断された前記自然斜面上の各領域を第２の滑動ブロックとし、前記第１の滑動ブロックと前記第２の滑動ブロックとの滑動形態を互いに異ならせて前記自然斜面のせん断抵抗を強化するので、第１の滑動ブロックは、軟弱層よりも強度の強い移動層の比率が増加することからせん断抵抗が大きくなり、第１の滑動ブロック７ａは豪雨等が生じても滑動し難くなる。しかも、第１の滑動ブロックと第２の滑動ブロックとの境界には摩擦抵抗が発生するため、第２の滑動ブロックのせん断抵抗も大きくなり、したがって移動層全体の平均せん断抵抗が大きくなり、その結果斜面の滑動性が低下し、斜面は安定化する。
【００１９】
そして、自然斜面は長期間にわたり安定を保っている箇所が多く、豪雨などの一時的な不安定化に対して更なる安定化を目指すため、若干の強度増加効果をもたせるだけでよく、弱い軟弱層を通過する滑動面の比率を相対的に小さくし、相対的に強度の大きい崩積土砂層内の強度を利用することで斜面の安定化を容易に実現することができる。
【００２０】
また、抵抗体は、移動層の滑動力を抑止する目的ではなく、移動層を分断する目的で使用しているため、従来のロックボルト工のような強度や配置密度を必要とせず、したがって据付工事費も大幅に削減することが可能となる。
【００２１】
また、本発明は、第１の滑動ブロックのせん断抵抗の増加で自然斜面の安定化を実現しているので、グラウンドアンカー工や抑止杭工に比べ、地すべりによる滑動力を直接受け持つことがなく、したがって大きな土圧を常時受けることもなく、素材の老朽化に対する影響は少ない。
【図面の簡単な説明】
【図１】
自然斜面の一例を模式的に示した斜視図である。
【図２】
本発明に係る斜面安定化工法の一実施の形態を模式的に示す斜視図である。
【図３】
図２のＸ−Ｘ断面図である。
【符号の説明】
１  基岩（不動層）
３  崩積土砂層（移動層）
４  軟弱層
５  移動土塊
６  抵抗体
７ａ〜７ｃ  第１の滑動ブロック
８ａ〜８ｅ  第２の滑動ブロック
９  頭部プレート
１０  ＰＣ鋼より線
【手続補正２】
【補正対象書類名】図面
【補正対象項目名】全図
【補正方法】変更
【補正の内容】
【図１】
2003027491.tif 000001
【図２】
2003027491.tif 000002
【図３】
2003027491.tif 000003